(57)【要約】【課題】小型化が可能で、広い送受信周波数帯域内において良好な放射特性が得られるチップ型アンテナを提供する。【解決手段】チップ型アンテナ１００において、誘電材料又は磁性材料から成る基体２００の複数の基体層のうち、第1の基体層２１１と第２の基体層２０２には複数の帯状の内部電極３０１〜３１１が所定のピッチで配設され、第１の基体層２１１の帯状の内部電極３０１、３０３、３０５、３０７、３０９、３１１と第２の基体層２０２の帯状の内部電極３０２、３０４、３０６、３０８、３１０とは、複数の基体層２０１〜２１３の積層方向Ａの投影面内において交互に配置されるとともに、スルーホール電極６０１〜６１２により直列に接続されて、巻回軸が上記積層方向Ａと直交する方向になる略螺旋状の放射電極３００を構成し、各帯状の内部電極３０１〜３１１の幅が０．３ｍｍ〜０．７ｍｍのうち所定の幅に形成されている。【選択図】図２
2008067113.tif 000002
【特許請求の範囲】
【請求項１】
誘電材料及び磁性材料の少なくとも一方から成る複数の層が積層されて構成される基体と、前記複数の層のうち所定の層に形成された内部電極により構成される放射電極と、前記放射電極の一端が接続され、前記基体の表面に形成された給電端側端子と、前記放射電極の他端が接続され、前記基体の表面に形成された開放端側端子とを含むチップ型アンテナにおいて、
前記複数の層のうち、第1の層と第２の層には、複数の帯状の内部電極が所定のピッチで配設され、前記第１の層の帯状の内部電極と、前記第２の層の帯状の内部電極とは、前記積層方向の投影面内において交互に配置されるとともに、スルーホール電極により直列に接続されて、巻回軸が前記積層方向と直交する方向になるような略螺旋状の放射電極を構成しており、前記帯状の内部電極の幅が０．３ｍｍ〜０．７ｍｍであることを特徴とするチップ型アンテナ。
【請求項２】
請求項１に記載のチップ型アンテナにおいて、前記略螺旋状の放射電極の巻回数が３回以上４．５回以下であることを特徴とするチップ型アンテナ。
【請求項３】
請求項１又は２に記載のチップ型アンテナにおいて、前記第１の層の内部電極と前記第２の層の内部電極との間隔が４５０μｍ〜１０００μｍであることを特徴とするチップ型アンテナ。
【請求項４】
請求項１乃至３のいずれかに記載のチップ型アンテナにおいて、ＶＳＷＲが最小となる周波数が１５００ＭＨｚ〜２５００ＭＨｚの範囲であり、ＶＳＷＲが３以下となる帯域幅が２００ＭＨｚ以上であることを特徴とするチップ型アンテナ。
【発明の詳細な説明】
【技術分野】
【０００１】
本発明は、チップ型アンテナに関し、特に、携帯電話等の移動体通信機や無線ＬＡＮ（Ｌｏｃａｌ Ａｒｅａ Ｎｅｔｗｏｒｋ）等に用いられるチップ型アンテナに関する。
【背景技術】
【０００２】
近年、デジタル変調信号を送受信する無線通信装置として、携帯電話が世界的に市場を拡大しており、変調方式として様々な方式が提案されている。特に、欧州を中心として普及しているＧＳＭ方式では、送受信帯域がそれぞれ８８０−９１５ＭＨｚ、９２５−９６０ＭＨｚの略９００ＭＨｚ帯（ＧＳＭ９００：以下、単にＧＳＭ帯と言う）の他に、帯域拡張版として、送受信帯域がそれぞれ１７１０−１７８５ＭＨｚ、１８０５−１８８０ＭＨｚの略１．８ＧＨｚ帯（ＤＣＳ１８００：以下、単にＤＣＳ帯と言う）や、米国における送受信帯域がそれぞれ１８５０−１９１０ＭＨｚ、１９３０−１９９０ＭＨｚの略１．９ＧＨｚ帯（ＰＣＳ１９００：以下、単にＰＣＳ帯と言う）が規定されている。更に、欧州での次世代携帯電話の標準規格として、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍの略）方式も提案されている。このＵＭＴＳ規格は、内容的には、現在日本国内の３Ｇ携帯で使われている「Ｗ−ＣＤＭＡ」という規格を含んでおり、ＵＭＴＳという言葉が、「Ｗ−ＣＤＭＡ」という言葉の代わりに使われるケースも見られる。即ち、最近では、日本国内で、第３世代の変調方式として、３ＧＰＰで規格が定められている送受信帯域がそれぞれ１９２０−１９８０ＭＨｚ、２１１０−２１７０ＭＨｚの略２ＧＨｚ帯のＷＣＤＭＡ方式（ＷＣＤＭＡ２０００）の運用が開始されている。ＷＣＤＭＡ方式の１チャネルの帯域幅は５ＭＨｚとなっているため、上記送受信帯域で周波数分割により１２チャネルが形成され、各チャネル上に符号分割による更に多数のチャネルが形成される。
【０００３】
また、近年、無線通信を用いたネットワークでパソコン等を相互に接続する無線ＬＡＮが実用化され、その普及度が高まってきている。
【０００４】
携帯電話やパソコンなどの通信機器・電子機器に対する小型化の要請から、これらの機器に使用されるアンテナも小型化される必要がある。特に、携帯電話では小型化・薄型化の要請が益々強くなり、一方、無線ＬＡＮでは、無線通信用のアンテナを内蔵した薄手の無線ＬＡＮカードをパソコン等の筐体に接続して用いることが多い。
【０００５】
このため、携帯電話や無線ＬＡＮ用のアンテナとしても小型のものが求められることから、誘電体や磁性体等の基体の表面或いは内部に放射電極等を設けたチップ型アンテナが多く使用されているが、携帯電話等の更なる小型化の要請からチップ型アンテナ自体の更なる小型化が強く望まれている。
【０００６】
従来、かかるチップ型アンテナの小型化を図る技術として、例えば、誘電材料や磁性材料から成る複数の層が積層されて構成される基体と、複数の層のうち所定の層に形成された内部電極により構成される放射電極と、放射電極の一端が接続され、基体の表面に形成された給電端側端子と、放射電極の他端が接続され、基体の表面に形成された開放端側端子とを含むチップ型アンテナが知られている（例えば、特許文献１、特許文献２及び特許文献３参照）。
【０００７】
【特許文献１】特開平５−１１０２５７号公報
【特許文献２】特開平１０−９８３２２号公報
【特許文献３】特開２００５−２１７６３３号公報
【発明の開示】
【発明が解決しようとする課題】
【０００８】
しかしながら、上記特許文献１等に記載の従来のチップ型アンテナでは、十分な小型化を図ることができない上に、広い送受信周波数帯域幅を実現することが困難であるため、広帯域を必要とする携帯電話等の移動体通信機に用いることができなかった。即ち、小型化と広帯域化を両立させることが困難であった。
【０００９】
また、上記特許文献２及び３等に記載の従来のチップ型アンテナでも、更なる小型化の要請には十分に対応できていない。一方、上述したＷＣＤＭＡ方式に対応する携帯電話等に用いるチップ型アンテナとしては、例えば、１５００ＭＨｚ〜２５００ＭＨｚという周波数帯域において、良好な放射特性を備える必要があるが、上記特許文献２及び３等に記載の従来のチップ型アンテナは、かかる周波数帯域において十分に良好な放射特性を備えるものではなかった。
【００１０】
尚、従来のチップ型アンテナにおいて、基体の内部等に略螺旋状に形成される放射電極等の個々のチップの構成要素が厳密な対称性を有していない場合に、チップ型アンテナを製作する工程で積層体の反りを発生してしまう場合がある。また、チップ型アンテナを携帯電話等の内部の基板に実装するときの座りが悪いと、実装安定性に問題が生じる場合もある。
【００１１】
本発明の第１の課題は、従来よりも更なる小型化が可能で、送受信周波数帯域幅が広く且つ当該広い送受信周波数帯域内において良好な放射特性が得られるチップ型アンテナを提供することにある。
【００１２】
本発明の第２の課題は、チップ型アンテナを製作する工程で積層体の反りを発生してしまうことが無く、且つ、実装安定性にも優れたチップ型アンテナを提供することにある。
【課題を解決するための手段】
【００１３】
上述した課題を解決するために、本発明者は、より小型化が可能であると共に、放射特性の優れた広帯域のチップ型アンテナの構成を種々研究・検討した結果、従来のチップ型アンテナに比べ更なる小型化が可能で、広帯域において放射特性の優れたチップ型アンテナの構成を見出した。また、かかる構成のチップ型アンテナにより、製作工程での積層体の反りの発生を防止でき、実装安定性も向上させ得ることを見出した。
【００１４】
即ち、上記課題を解決するため、本発明のチップ型アンテナは、誘電材料及び磁性材料の少なくとも一方から成る複数の層が積層されて構成される基体と、前記複数の層のうち所定の層に形成された内部電極により構成される放射電極と、前記放射電極の一端が接続され、前記基体の表面に形成された給電端側端子と、前記放射電極の他端が接続され、前記基体の表面に形成された開放端側端子とを含み、前記複数の層のうち、第1の層と第２の層には、複数の帯状の内部電極が所定のピッチで配設され、前記第１の層の帯状の内部電極と、前記第２の層の帯状の内部電極とは、前記積層方向の投影面内において交互に配置されるとともに、スルーホール電極により直列に接続されて、巻回軸が前記積層方向と直交する方向になるような略螺旋状の放射電極を構成しており、前記帯状の内部電極の幅が０．３ｍｍ〜０．７ｍｍであることを特徴とする。
【００１５】
かかる構成によれば、チップ型アンテナを従来よりも更に小型化することができる上に、広い送受信周波数帯域内において優れた放射特性が得られる。また、基体の内部に形成される放射電極等の個々のチップの構成要素が対称性を有するので、チップ型アンテナを製作する工程で積層体の反りを発生してしまうことが無く、且つ、実装安定性にも優れたチップ型アンテナが得られる。
【００１６】
また。前記略螺旋状の放射電極の巻回数が３回以上４．５回以下であることを特徴とする。かかる構成によれば、放射電極が比較的少ない巻回数で形成されることからチップ型アンテナの更なる小型化が容易になる。
【００１７】
また、前記第１の層の内部電極と前記第２の層の内部電極との間隔が４５０μｍ〜１０００μｍであることを特徴とする。かかる構成によれば、基体内で第１の層の内部電極と第２の層の内部電極とが上記の４５０μｍ〜１０００μｍの間隔内に収まることから、十分にチップ型アンテナの小型化が図れる。
【００１８】
更に、ＶＳＷＲが最小となる周波数が１５００ＭＨｚ〜２５００ＭＨｚの範囲であり、ＶＳＷＲが３以下となる帯域幅が２００ＭＨｚ以上であることを特徴とする。かかる構成によれば、特に、ＷＣＤＭＡ通信方式に実用上有効な広い送受信周波数帯域内において放射特性の優れたチップ型アンテナを実現することができる。
【発明の効果】
【００１９】
本発明によれば、チップ型アンテナの更なる小型化が可能な上に、広い送受信周波数帯域内において放射特性の優れたチップ型アンテナを得ることが可能である。また、チップ型アンテナを製作する工程で積層体に反りを発生してしまうことを防止でき、実装安定性にも優れたチップ型アンテナを得ることができる。
【発明を実施するための最良の形態】
【００２０】
本発明の実施形態に係るチップ型アンテナについて図面を参照して詳細に説明する。図１は本発明の一実施形態に係るチップ型アンテナの透視斜視図であり、図２は図１のチップ型アンテナの分解斜視図である。また、図３は図１のチップ型アンテナの複数の層それぞれにおける電極パターン（放射電極のパターン、スルーホール電極のパターン、裏面電極のパターン）の構成を示す図である。更に、図４は、図２及び図３に示す複数の層のうち、帯状の内部電極が配設された第２基体層（層Ｎｏ．２）２０２及び第１１基体層（層Ｎｏ．１１）２１１を拡大して示す図であり、（ａ）は第２基体層（層Ｎｏ．２）２０２の拡大図、（ｂ）は第１１基体層（層Ｎｏ．１１）２１１の拡大図である。
【００２１】
本発明の一実施形態に係るチップ型アンテナ１００は、例えば、長さが４．５ｍｍ、幅が３．２ｍｍ、高さ（厚み）が１．０ｍｍのチップ型（極薄小片型）に形成され、主として、携帯電話のＷＣＤＭＡ通信方式に対応する送受信周波数帯域を有する、いわゆるシングルバンドのアンテナである。このチップ型アンテナ１００は、図１乃至図３に示すように、誘電材料及び磁性材料の少なくとも一方から成る複数のシート状の基体層２０１〜２１２が積層されて構成される基体２００と、複数の基体層のうち所定の基体層に形成された内部電極３０１〜３１１により構成される放射電極３００と、放射電極３００の一端が接続され、基体２００の表面に形成された給電端側端子４００と、放射電極３００の他端が接続され、基体２００の表面に形成された開放端側端子５００とを含んでいる。
【００２２】
そして、本実施形態のチップ型アンテナ１００の特徴は、複数の基体層のうち、第1の基体層２１１と第２の基体層２０２には、複数の帯状の内部電極３０１〜３１１が所定のピッチで配設され、第１の基体層２１１の帯状の内部電極３０１、３０３、３０５、３０７、３０９、３１１と第２の基体層２０２の帯状の内部電極３０２、３０４、３０６、３０８、３１０とは、複数の基体層２０１〜２１２の積層方向Ａ（図２参照）の投影面内において交互に配置されるとともに、スルーホール電極６０１〜６１２により直列に接続されて、巻回軸が上記積層方向Ａ（図２参照）と直交する方向になるような略螺旋状の放射電極３００を構成していることにある。
【００２３】
更に、本実施形態のチップ型アンテナ１００は、各帯状の内部電極３０１〜３１１の幅が０．３ｍｍ〜０．７ｍｍのうち所定の幅に形成されていること、略螺旋状の放射電極３００の巻回数が３回以上４．５回以下に形成されていること、第１の基体層２１１の帯状の内部電極３０１、３０３、３０５、３０７、３０９、３１１と第２の基体層２０２の帯状の内部電極３０２、３０４、３０６、３０８、３１０との間隔が４５０μｍ〜１０００μｍのうち所定の間隔に形成されていること、ＶＳＷＲが最小となる周波数が１５００ＭＨｚ〜２５００ＭＨｚの範囲であり、ＶＳＷＲが３以下となる帯域幅が２００ＭＨｚ以上であるように形成されていることも特徴としている。
【００２４】
図１に示した本発明の一実施形態のチップ型アンテナ１００の構成についてより詳細に説明する。基体２００は、誘電材料又は磁性材料の少なくとも一方により、図１に示すように、全体として矩形片状に形成されている。この基体２００は、例えばアルミナ、シリカ、マグネシウム等を含む高周波数において低損失なセラミックで作製されている。尚、基体２００として誘電材料を使用する場合は、誘電率と誘電損失がアンテナ特性に大きく影響する。そして、基体２００は、図２及び図３に示すように、複数の基体層が積層されて構成されており、具体的には、最上層（第１層）２０１から最下層（第１２層）２１２まで１２の基体層が積層されて構成されている。尚、図２では、上下の基体層と同様の構成を有する一部の基体層は図示を省略している。また、図２及び図３には、最下層（第１２層）２１２の裏面の構成も併せて示す。ここで、図２では、最下層（第１２層）２１２の裏面２１２Ｂの投影面２１２ｂを示している。
【００２５】
これら複数の基体層２０１〜２１２それぞれの構成について簡単に述べる。最上層（第１基体層、層Ｎｏ．１）２０１は、図３に示すように、表面（上面）には放射電極、入出力電極、スルーホール電極等は形成されておらず、上蓋的な基体層、即ち、次に述べる第２基体層（層Ｎｏ．２）２０２の表面に形成される放射電極等を上面から覆って基体２００中に埋設させる機能を有している。尚、最上層（第１基体層、層Ｎｏ．１）２０１の表面（上面）に符号２０１ａで示しているのは、チップ型アンテナ１００を基板等に実装する際に、例えば、供給端（給電端）側を示すために形成された目印であり、銅箔等で形成されている。尚、後述するように、基体２００を構成する複数の基体層２０１〜２１２は、積層後、焼成により製作するが、この第１基体層（層Ｎｏ．１）２０１の焼成後の厚み（シート厚）は５０μｍである。
【００２６】
第２基体層（層Ｎｏ．２）２０２には、図２及び図３に示すように、その上面に帯状の内部電極３０２、３０４、３０６、３０８、３１０が所定のピッチで配設されている。これら帯状の内部電極３０２、３０４、３０６、３０８、３１０の幅は、０．３ｍｍ〜０．７ｍｍのうち所定の幅に形成されている。また、図４（ａ）に示すように、帯状の内部電極３０２、３０４、３０６、３０８、３１０は、その両端にそれぞれ逆方向に突出したスルーホール電極接続部３０２ａと３０２ｂ、３０４ａと３０４ｂ、３０６ａと３０６ｂ、３０８ａと３０８ｂ、３１０ａと３１０ｂを有している。これらスルーホール電極接続部３０２ａと３０２ｂ、３０４ａと３０４ｂ、３０６ａと３０６ｂ、３０８ａと３０８ｂ、３１０ａと３１０ｂには、それぞれスルーホール電極６０１と６０２、６０３と６０４、６０５と６０６、６０７と６０８、６０９と６１０が形成されている。帯状の内部電極３０２、３０４、３０６、３０８、３１０は、スルーホール電極６０１と６０２、６０３と６０４、６０５と６０６、６０７と６０８、６０９と６１０を介して、後述する第１１基体層（層Ｎｏ．１１）２１１の帯状の内部電極３０１、３０３、３０５、３０７、３０９、３１１と電気的に接続されている。このように、第２基体層（層Ｎｏ．２）２０２は、複数の基体層２０１〜２１２のうち、帯状の内部電極３０２、３０４、３０６、３０８、３１０が所定のピッチで配設される「第２の層」を構成する。この第２基体層（層Ｎｏ．２）２０２の焼成後の厚み（シート厚）は５０μｍである。
【００２７】
第３基体層（層Ｎｏ．３）２０３は、図２及び図３に示すように、表面（上面）には放射電極等は形成されておらず、当該第３基体層（層Ｎｏ．３）２０３の厚さ方向を貫通して上記スルーホール電極６０１と６０２、６０３と６０４、６０５と６０６、６０７と６０８、６０９と６１０（図２では符号を省略する）が形成されている。この第３基体層（層Ｎｏ．３）２０３の焼成後の厚み（シート厚）は５０μｍである。
【００２８】
第４基体層（層Ｎｏ．４）２０４、第５基体層（層Ｎｏ．５）２０５、第６基体層（層Ｎｏ．６）２０６、第７基体層（層Ｎｏ．７）２０７、第８基体層（層Ｎｏ．８）２０８、及び第９基体層（層Ｎｏ．９）２０９は、基体層の厚み（シート厚）が異なる以外は上述した第３基体層（層Ｎｏ．３）２０３と全く同様に構成されており、図２［第４基体層（層Ｎｏ．４）２０４のみ示す］及び図３に示すように、表面（上面）には放射電極等は形成されておらず、厚さ方向を貫通して上記スルーホール電極６０１と６０２、６０３と６０４、６０５と６０６、６０７と６０８、６０９と６１０（図２及び図３では符号を省略する）が形成されている。これら第４基体層（層Ｎｏ．４）２０４〜第９基体層（層Ｎｏ．９）２０９までは、各基体層とも、焼成後の厚み（シート厚）は１００μｍである。
【００２９】
第１０基体層（層Ｎｏ．１０）２１０は、基体層の厚み（シート厚）を含めて上述した第３基体層（層Ｎｏ．３）２０３と全く同様に構成されており、図２及び図３に示すように、表面（上面）には放射電極等は形成されておらず、厚さ方向を貫通して上記スルーホール電極６０１と６０２、６０３と６０４、６０５と６０６、６０７と６０８、６０９と６１０（図２では符号を省略する）が形成されている。この第１０基体層（層Ｎｏ．１０）２１０の焼成後の厚み（シート厚）は５０μｍである。
【００３０】
第１１基体層（層Ｎｏ．１１）２１１には、図２及び図３に示すように、その上面に帯状の内部電極３０１、３０３、３０５、３０７、３０９、３１１が所定のピッチで配設されている。このように、この第１１基体層（層Ｎｏ．１１）２１１は、複数の基体層２０１〜２１３のうち、帯状の内部電極３０１、３０３、３０５、３０７、３０９、３１１が所定のピッチで配設される「第１の層」を構成する。これら帯状の内部電極３０１、３０３、３０５、３０７、３０９、３１１の幅は、０．３ｍｍ〜０．７ｍｍのうち所定の幅に形成されている。また、帯状の内部電極３０９は放射電極の一部としての給電端側（放射）電極を構成し、一方、帯状の内部電極３１１は放射電極の一部としての開放端側（放射）電極を構成している。帯状の内部電極（給電端側電極）３０９は、図４（ｂ）に示すように、その端部にスルーホール電極接続部３０９ａを有しており、一方、帯状の内部電極（開放端側電極）３１１は、その端部にスルーホール電極接続部３１１ａを有している。図２に示すように、帯状の内部電極（給電端側電極）３０９のスルーホール電極接続部３０９ａは、スルーホール電極６１１を介して、後述する第１２基体層（層Ｎｏ．１２）２１２の下面（基体２００の裏面）に形成された給電端側端子４００に接続されている。一方、帯状の内部電極（開放端側電極）３１１は、スルーホール電極６１２を介して、第１２基体層（層Ｎｏ．１２）２１２の下面２１２Ｂ（基体２００の裏面）に形成された開放端側端子５００に接続されている。これにより、図２に示すように、基体２００の表面に形成された給電端側端子４００に放射電極３００の一端が接続される一方、同じく開放端側端子５００に放射電極３００の他端が接続され、且つ、第１の基体層２１１の帯状の内部電極３０１、３０３、３０５、３０７、３０９、３１１と第２の基体層２０２の帯状の内部電極３０２、３０４、３０６、３０８、３１０とが積層方向Ａ（図２参照）の投影面内において交互に配置されるとともに、スルーホール電極６０１〜６１２により直列に接続されて、巻回軸が上記積層方向Ａと直交する方向になるような略螺旋状の放射電極３００を構成している。この第１１基体層（層Ｎｏ．１１）２１１の焼成後の厚み（シート厚）は５０μｍである。
【００３１】
第１２基体層（層Ｎｏ．１２）２１２は、基体２００の最下層であり、従って、その下面（裏面）２１２Ｂはチップ型アンテナ１００の実装面を構成する。まず、この第１２基体層（層Ｎｏ．１２）２１２の表面（上面）２１２Ａには、図２及び図３に示すように、放射電極等は形成されておらず、当該第１２基体層（層Ｎｏ．１２）２１２の厚さ方向を貫通してスルーホール電極６１１とスルーホール電極６１２が形成されている。また、この第１２基体層（層Ｎｏ．１２）２１２の下面（裏面）２１２Ｂには、図２及び図３に示すように、長手方向の端部に、それぞれ給電端側端子４００、開放端側端子５００が形成されている。これら給電端側端子４００、開放端側端子５００は、それぞれスルーホール電極６１１、スルーホール電極６１２に接続されている。
【００３２】
更に、第１２基体層（層Ｎｏ．１２）２１２の下面（裏面）２１２Ｂには、図２及び図３に示すように、給電端側端子４００及び開放端側端子５００とは離間して補強用端子７０１〜７１２が形成されている。この補強用端子７０１〜７１２は、電気的な接続を取るものではなく、チップ型アンテナ１００の実装面となる第１２基体層（層Ｎｏ．１２）２１２の下面（裏面）２１２Ｂが基板等から剥がれてしまうのを防止するために接着強度を高める端子である。従って、第１２基体層（層Ｎｏ．１２）２１２の下面（裏面）２１２Ｂの周縁側に沿って形成されており、給電端側端子４００と開放端側端子５００が形成されている部分を除いた、幅方向の端部に等間隔に形成されている。尚、第１２基体層（層Ｎｏ．１２）２１２の焼成後の厚み（シート厚）は５０μｍである。
【００３３】
以上の構成によれば、図１乃至図４に示した本発明の一実施形態に係るチップ型アンテナ１００においては、第１の層２１１の帯状の内部電極３０１、３０３、３０５、３０７、３０９、３１１と第２の層２０２の帯状の内部電極３０２、３０４、３０６、３０８、３１０との間隔（積層方向Ａにおける間隔）は７５０μｍになるように形成されている。尚、本発明のチップ型アンテナとしては、この間隔は４５０μｍ〜１０００μｍのうち所定の間隔に形成されているのが望ましい。
【００３４】
以上のように、本実施形態のチップ型アンテナ１００は、複数のシート状の基体層２０１〜２１２と、それに形成されたスルーホール電極６０１〜６１２、帯状の内部電極３０１〜３１１、給電端側端子４００、開放端側端子５００、及び補強用端子７０１〜７１２とを有する。各シート状の基体層２０１〜２１２は、例えば、低温焼成が可能なセラミック又は樹脂等の誘電体材料からなるグリーンシートにより形成する。また、各帯状の内部電極３０１〜３１１、給電端側端子４００、開放端側端子５００、及び補強用端子７０１〜７１２は、Ａｇ又はＣｕを主体とする導電ペーストの印刷により形成する。各シート状の基体層２０１〜２１２を第１層〜第１２層まで上述したように配置し積層した後、焼成することにより、図１乃至図４に示した多層のチップ型アンテナ１００が得られる。
【００３５】
さて、本発明者は、パラメータとして帯状の内部電極３０１〜３１１等の幅、これら帯状の内部電極３０１〜３１１等から構成される略螺旋状の放射電極３００の電極長、略螺旋状の放射電極３００の巻回数をそれぞれ変化させたチップ型アンテナを試作し、そのアンテナ特性を測定してみた。尚、以下に示す実施例１〜１２までのチップ型アンテナでは、図１乃至図４に示したチップ型アンテナ１００と帯状の内部電極の数等が異なる場合があるが、略同様の参照符号を用いて説明する。
【００３６】
即ち、帯状の内部電極の電極幅、帯状の内部電極（等から構成される放射電極）の電極長、帯状の内部電極の電極間ピッチ、略螺旋状の放射電極の巻回数（従って、帯状の内部電極の数）を、図５、図９、図１３、図１７に示すように様々に変化させた実施例１〜１２について、そのアンテナ特性を評価するために周波数に対する電圧定在波比（Ｖｏｌｔａｇｅ  Ｓｔａｎｄｉｎｇ  Ｗａｖｅ  Ｒａｔｉｏ、以下、ＶＳＷＲと言う）を測定した。図６乃至図８、図１０乃至図１２、図１４乃至図１６、図１８乃至図２０は、それぞれ実施例１〜１２までのチップ型アンテナのＶＳＷＲと周波数の関係を表すグラフである。
【００３７】
図５は、本発明の実施形態に係るチップ型アンテナの実施例の電極構成を示す図であり、（ａ）は実施例１、（ｂ）は実施例２、（ｃ）は実施例３、の電極構成をそれぞれ示す。
【００３８】
実施例１のチップ型アンテナは、「第１の層」としての第１１基体層（層Ｎｏ．１１）２１１に配設される帯状の内部電極と「第２の層」としての第２基体層（層Ｎｏ．２）２０２に配設される帯状の内部電極を、それぞれ図５（ａ）に示す電極形状に形成し、同図に示すピッチで配置した。即ち、この実施例１のチップ型アンテナでは、第２基体層（層Ｎｏ．２）２０２の上面には、帯状の内部電極３０２ａ、３０４ａ、３０６ａ、３０８ａが所定のピッチで配設されている。尚、帯状の内部電極３０６ａと３０８ａは、第２基体層（層Ｎｏ．２）２０２の幅方向の中央でスルーホール電極と接続されており、向きは異なるがそれぞれがＬ字形状に形成されている。即ち、この実施例１のチップ型アンテナは、第２基体層（層Ｎｏ．２）２０２の上面に配設された帯状の内部電極３０６ａ、３０８ａが、それぞれスルーホール電極を介して図２及び図３に示した給電端側端子４００、開放端側端子５００と接続されている。従って、第２基体層（層Ｎｏ．２）２０２の上面に配設された帯状の内部電極３０６ａ、３０８ａが、スルーホール電極接続部を有する給電端側電極、開放端側電極を構成する。
【００３９】
一方、第１１基体層（層Ｎｏ．１１）２１１の上面には、図５（ａ）に示すように、帯状の内部電極３０１ａ、３０３ａ、３０５ａが所定のピッチで配設されている。そして、第２基体層（層Ｎｏ．２）２０２の上面に配設された帯状の内部電極３０２ａ、３０４ａ、３０６ａ、３０８ａと第１１基体層（層Ｎｏ．１１）２１１の上面に配設された帯状の内部電極３０１ａ、３０３ａ、３０５ａが、スルーホール電極６０１〜６０６［図５（ａ）には図示せず、また、図１乃至図４に示したスルーホール電極６０１〜６０６の位置とは異なる場合がある（以下同じ）］を介して接続されることにより、略螺旋状の放射電極３００を構成している。この実施例１のチップ型アンテナでは、各帯状の内部電極３０２ａ、３０４ａ、３０６ａ、３０８ａの電極幅と各帯状の内部電極３０１ａ、３０３ａ、３０５ａの電極幅は、いずれも０．３ｍｍに形成した。また、略螺旋状の放射電極３００の巻回数は、図５（ａ）から分かるように、３回であり、放射電極３００の電極長は比較的短いものとした。
【００４０】
この実施例１のチップ型アンテナについて、周波数に対するＶＳＷＲを測定した結果を図６に示す。図６（ａ）は、実施例１のチップ型アンテナのＶＳＷＲと周波数の関係を表すグラフであり、図６（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００４１】
図６（ａ）及び（ｂ）に示すグラフの解析結果から、この実施例１のチップ型アンテナでは、ＶＳＷＲが最小となる（グラフの曲線が最も１に近くなる）周波数が、約２０６４ＭＨｚであり、ＶＳＷＲが３以下となる帯域幅が約１９４１ＭＨｚ〜約２１７０ＭＨｚまで約２２９ＭＨｚの幅だけ確保されていることが分かった。従って、対象とするＵＭＴＳ帯域に略対応する、広い周波数帯域においてＶＳＷＲが３以下となる良好な放射特性が得られることを確認することができた。
【００４２】
実施例２のチップ型アンテナは、「第１の層」としての第１１基体層（層Ｎｏ．１１）２１１に配設される帯状の内部電極と「第２の層」としての第２基体層（層Ｎｏ．２）２０２に配設される帯状の内部電極を、それぞれ図５（ｂ）に示す電極形状に形成し、同図に示すピッチで配置した。即ち、この実施例２のチップ型アンテナでは、第２基体層（層Ｎｏ．２）２０２の上面には、帯状の内部電極３０２ｂ、３０４ｂ、３０６ｂ、３０８ｂが配設されている。尚、帯状の内部電極３０６ｂと３０８ｂは、第２基体層（層Ｎｏ．２）２０２の幅方向の中央でスルーホール電極と接続されており、向きは異なるがそれぞれがＬ字形状に形成されているのは実施例１のチップ型アンテナと同様である。即ち、この実施例２のチップ型アンテナも、第２基体層（層Ｎｏ．２）２０２の上面に配設された帯状の内部電極３０６ｂ、３０８ｂが、それぞれスルーホール電極を介して図２及び図３に示した給電端側端子４００、開放端側端子５００と接続されている。従って、第２基体層（層Ｎｏ．２）２０２の上面に配設された帯状の内部電極３０６ｂ、３０８ｂが、スルーホール電極接続部を有する給電端側電極、開放端側電極を構成する。
【００４３】
一方、第１１基体層（層Ｎｏ．１１）２１１の上面には、図５（ｂ）に示すように、帯状の内部電極３０１ｂ、３０３ｂ、３０５ｂが配設されている。そして、第２基体層（層Ｎｏ．２）２０２の上面に配設された帯状の内部電極３０２ｂ、３０４ｂ、３０６ｂ、３０８ｂと第１１基体層（層Ｎｏ．１１）２１１の上面に配設された帯状の内部電極３０１ｂ、３０３ｂ、３０５ｂが、スルーホール電極６０１〜６０６［図５（ｂ）には図示せず］を介して接続されることにより、略螺旋状の放射電極３００を構成している。この実施例２のチップ型アンテナでは、各帯状の内部電極３０２ｂ、３０４ｂ、３０６ｂ、３０８ｂの電極幅と各帯状の内部電極３０１ｂ、３０３ｂ、３０５ｂの電極幅は、いずれも０．５ｍｍに形成した。
【００４４】
一方、略螺旋状の放射電極３００の巻回数は、図５（ｂ）から分かるように、実施例１のチップ型アンテナと同様に３回であり、放射電極３００の電極長も実施例１のチップ型アンテナと同様に比較的短いものとした。従って、この実施例２のチップ型アンテナでは、「第１の層」としての第１１基体層（層Ｎｏ．１１）２１１に配設される帯状の内部電極と「第２の層」としての第２基体層（層Ｎｏ．２）２０２に配設される帯状の内部電極の形状は実施例１のチップ型アンテナと略同様であるが、各電極幅が実施例１の５／３倍に広くなっている。そのため、図５（ａ）及び（ｂ）から明らかなように、「第１の層」としての第１１基体層（層Ｎｏ．１１）２１１に配設される帯状の内部電極と「第２の層」としての第２基体層（層Ｎｏ．２）２０２に配設される帯状の内部電極は、実施例１のチップ型アンテナと同様に、複数の基体層２０１〜２１３の積層方向Ａ（図２参照）の投影面内において交互に配置されているが、図５（ａ）に示す実施例１のチップ型アンテナに比べて図５（ｂ）に示す実施例２のチップ型アンテナでは、該投影面内において両者の電極の間隔がより狭くなっている。
【００４５】
この実施例２のチップ型アンテナについて、周波数に対するＶＳＷＲを測定した結果を図７に示す。図７（ａ）は、実施例２のチップ型アンテナのＶＳＷＲと周波数の関係を表すグラフであり、図７（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００４６】
図７（ａ）及び（ｂ）に示すグラフの解析結果から、この実施例２のチップ型アンテナでは、ＶＳＷＲが最小となる（グラフの曲線が最も１に近くなる）周波数が、約２１５７ＭＨｚであり、ＶＳＷＲが３以下となる帯域幅が約２０１８ＭＨｚ〜約２２８０ＭＨｚまで約２６２ＭＨｚの幅だけ確保されていることが分かった。従って、対象とするＵＭＴＳ帯域に略対応する、広い周波数帯域においてＶＳＷＲが３以下となる良好な放射特性が得られることを確認することができた。
【００４７】
実施例３のチップ型アンテナは、「第１の層」としての第１１基体層（層Ｎｏ．１１）２１１に配設される帯状の内部電極と「第２の層」としての第２基体層（層Ｎｏ．２）２０２に配設される帯状の内部電極を、それぞれ図５（ｃ）に示す電極形状に形成し、同図に示すピッチで配置した。即ち、この実施例３のチップ型アンテナでは、第２基体層（層Ｎｏ．２）２０２の上面には、帯状の内部電極３０２ｃ、３０４ｃ、３０６ｃ、３０８ｃが配設されている。尚、帯状の内部電極３０６ｃと３０８ｃは、第２基体層（層Ｎｏ．２）２０２の幅方向の中央でスルーホール電極と接続されており、向きは異なるがそれぞれがＬ字形状に形成されているのは実施例１及び２のチップ型アンテナと同様である。即ち、この実施例３のチップ型アンテナは、第２基体層（層Ｎｏ．２）２０２の上面に配設された帯状の内部電極３０６ｃ、３０８ｃが、それぞれスルーホール電極を介して図２及び図３に示した給電端側端子４００、開放端側端子５００と接続されている。従って、第２基体層（層Ｎｏ．２）２０２の上面に配設された帯状の内部電極３０６ｃ、３０８ｃが、スルーホール電極接続部を有する給電端側電極、開放端側電極を構成する。
【００４８】
一方、第１１基体層（層Ｎｏ．１１）２１１の上面には、図５（ｃ）に示すように、帯状の内部電極３０１ｃ、３０３ｃ、３０５ｃが配設されている。そして、第２基体層（層Ｎｏ．２）２０２の上面に配設された帯状の内部電極３０２ｃ、３０４ｃ、３０６ｃ、３０８ｃと第１１基体層（層Ｎｏ．１１）２１１の上面に配設された帯状の内部電極３０１ｃ、３０３ｃ、３０５ｃが、スルーホール電極６０１〜６０６［図５（ｃ）には図示せず］を介して接続されることにより、略螺旋状の放射電極３００を構成している。この実施例３のチップ型アンテナでは、各帯状の内部電極３０２ｃ、３０４ｃ、３０６ｃ、３０８ｃの電極幅と各帯状の内部電極３０１ｃ、３０３ｃ、３０５ｃの電極幅は、いずれも０．７ｍｍに形成した。一方、略螺旋状の放射電極３００の巻回数は、図５（ｃ）から分かるように、実施例１及び２のチップ型アンテナと同様に３回であり、放射電極３００の電極長も実施例１及び２のチップ型アンテナと同様に比較的短いものとした。
【００４９】
従って、この実施例３のチップ型アンテナでは、「第１の層」としての第１１基体層（層Ｎｏ．１１）２１１に配設される帯状の内部電極と「第２の層」としての第２基体層（層Ｎｏ．２）２０２に配設される帯状の内部電極の形状は実施例１及び２のチップ型アンテナと略同様であるが、各電極幅が実施例１の７／３倍、実施例２の７／５倍に広くなっている。そのため、図５（ａ）、（ｂ）及び（ｃ）から明らかなように、「第１の層」としての第１１基体層（層Ｎｏ．１１）２１１に配設される帯状の内部電極と「第２の層」としての第２基体層（層Ｎｏ．２）２０２に配設される帯状の内部電極は、実施例１及び２のチップ型アンテナと同様に、複数の基体層２０１〜２１３の積層方向Ａ（図２参照）の投影面内において交互に配置されているが、図５（ｃ）に示す実施例３のチップ型アンテナでは、該投影面内において両者の電極の間隔は無くなり、一部重なり合っている。
【００５０】
この実施例３のチップ型アンテナについて、周波数に対するＶＳＷＲを測定した結果を図８に示す。図８（ａ）は、実施例３のチップ型アンテナのＶＳＷＲと周波数の関係を表すグラフであり、図８（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００５１】
図８（ａ）及び（ｂ）に示すグラフの解析結果から、この実施例３のチップ型アンテナでは、ＶＳＷＲが最小となる（グラフの曲線が最も１に近くなる）周波数が、約２２６１ＭＨｚであり、ＶＳＷＲが３以下となる帯域幅が約２１０８ＭＨｚ〜約２４０２ＭＨｚまで約２９４ＭＨｚの幅だけ確保されていることが分かった。従って、広い周波数帯域においてＶＳＷＲが３以下となる良好な放射特性が得られることを確認することができた。また、ＶＳＷＲが３以下となる帯域幅は、やや高周波側にシフトしているが、対象とするＵＭＴＳ帯域に略対応し、実用上十分な周波数帯域であることが分かった。
【００５２】
図９は、本発明の実施形態に係るチップ型アンテナの実施例の電極構成を示す図であり、（ｄ）は実施例４、（ｅ）は実施例５、（ｆ）は実施例６、の電極構成をそれぞれ示す。
【００５３】
実施例４のチップ型アンテナは、「第１の層」としての第１１基体層（層Ｎｏ．１１）２１１に形成される帯状の内部電極と「第２の層」としての第２基体層（層Ｎｏ．２）２０２に形成される帯状の内部電極を、それぞれ図９（ｄ）に示す電極形状に形成し、同図に示すピッチで配置した。即ち、この実施例４のチップ型アンテナでは、第２基体層（層Ｎｏ．２）２０２の上面には、帯状の内部電極３０２ｄ、３０４ｄ、３０６ｄ、３０８ｄが形成されている。一方、第１１基体層（層Ｎｏ．１１）２１１の上面には、図９（ｄ）に示すように、帯状の内部電極３０１ｄ、３０３ｄ、３０５ｄ、３０７ｄ、３０９ｄが形成されている。尚、帯状の内部電極３０７ｄと３０９ｄは、第１１基体層（層Ｎｏ．１１）２１１の幅方向の中央でスルーホール電極（図示せず）と接続されており、他の帯状の内部電極３０１ｄ、３０３ｄ、３０５ｄに対して略半分の長さに形成されている。
【００５４】
即ち、この実施例４のチップ型アンテナは、第１１基体層（層Ｎｏ．１１）２１１の上面に形成された帯状の内部電極３０７ｄ、３０９ｄが、それぞれスルーホール電極６１１、６１２（図２参照）を介して図２及び図３に示した給電端側端子４００、開放端側端子５００と接続されている。従って、第１１基体層（層Ｎｏ．１１）２１１の上面に形成された帯状の内部電極３０７ｄ、３０９ｄが、スルーホール電極接続部を有する給電端側電極、開放端側電極を構成する。そして、第２基体層（層Ｎｏ．２）２０２の上面に形成された帯状の内部電極３０２ｄ、３０４ｄ、３０６ｄ、３０８ｄと第１１基体層（層Ｎｏ．１１）２１１の上面に形成された帯状の内部電極３０１ｄ、３０３ｄ、３０５ｄが、スルーホール電極６０１〜６０８（図示せず）を介して接続されることにより、略螺旋状の放射電極３００を構成している。この実施例４のチップ型アンテナでは、各帯状の内部電極３０２ｄ、３０４ｄ、３０６ｄ、３０８ｄ及び３０１ｄ、３０３ｄ、３０５ｄ、３０７ｄ、３０９ｄの電極幅は、０．３ｍｍに形成した。また、略螺旋状の放射電極３００の巻回数は、図９（ｄ）から分かるように、４回であり、放射電極３００の電極長は実施例１〜３のチップ型アンテナよりは長いものとした。
【００５５】
この実施例４のチップ型アンテナについて、周波数に対するＶＳＷＲを測定した結果を図１０に示す。図１０（ａ）は、実施例４のチップ型アンテナのＶＳＷＲと周波数の関係を表すグラフであり、図１０（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００５６】
図１０（ａ）及び（ｂ）に示すグラフの解析結果から、この実施例４のチップ型アンテナでは、ＶＳＷＲが最小となる（グラフの曲線が最も１に近くなる）周波数が、約１９３１ＭＨｚであり、ＶＳＷＲが３以下となる帯域幅が約１８３０ＭＨｚ〜約２０２０ＭＨｚまで約１９０ＭＨｚの幅だけ確保されていることが分かった。従って、約１９０ＭＨｚという広い周波数帯域においてＶＳＷＲが３以下となる良好な放射特性が得られることを確認することができた。但し、ＶＳＷＲが最小となる（グラフの曲線が最も１に近くなる）周波数が約１９３１ＭＨｚというようにやや低周波側にシフトしており、また、ＶＳＷＲが３以下となる帯域幅が約１９０ＭＨｚというように約２００ＭＨｚ以上の幅は確保できなかった。
【００５７】
実施例５のチップ型アンテナは、「第１の層」としての第１１基体層（層Ｎｏ．１１）２１１に形成される帯状の内部電極と「第２の層」としての第２基体層（層Ｎｏ．２）２０２に形成される帯状の内部電極を、それぞれ図９（ｅ）に示す電極形状に形成し、同図に示すピッチで配置した。即ち、この実施例５のチップ型アンテナでは、第２基体層（層Ｎｏ．２）２０２の上面には、帯状の内部電極３０２ｅ、３０４ｅ、３０６ｅ、３０８ｅが形成されている。一方、第１１基体層（層Ｎｏ．１１）２１１の上面には、図９（ｅ）に示すように、帯状の内部電極３０１ｅ、３０３ｅ、３０５ｅ、３０７ｅ、３０９ｅが形成されている。尚、帯状の内部電極３０７ｅと３０９ｅは、第１１基体層（層Ｎｏ．１１）２１１の幅方向の中央でスルーホール電極（図示せず）と接続されており、他の帯状の内部電極３０１ｅ、３０３ｅ、３０５ｅに対して略半分の長さに形成されているのは実施例４のチップ型アンテナと同様である。
【００５８】
即ち、この実施例５のチップ型アンテナは、第１１基体層（層Ｎｏ．１１）２１１の上面に形成された帯状の内部電極３０７ｅ、３０９ｅが、それぞれスルーホール電極６１１、６１２（図２参照）を介して図２及び図３に示した給電端側端子４００、開放端側端子５００と接続されている。従って、第１１基体層（層Ｎｏ．１１）２１１の上面に形成された帯状の内部電極３０７ｅ、３０９ｅが、スルーホール電極接続部を有する給電端側電極、開放端側電極を構成する。そして、第２基体層（層Ｎｏ．２）２０２の上面に形成された帯状の内部電極３０２ｅ、３０４ｅ、３０６ｅ、３０８ｅと第１１基体層（層Ｎｏ．１１）２１１の上面に形成された帯状の内部電極３０１ｅ、３０３ｅ、３０５ｅが、スルーホール電極６０１〜６０８（図示せず）を介して接続されることにより、略螺旋状の放射電極３００を構成している。この実施例５のチップ型アンテナでは、各帯状の内部電極３０２ｅ、３０４ｅ、３０６ｅ、３０８ｅの電極幅と各帯状の内部電極３０１ｅ、３０３ｅ、３０５ｅ、３０７ｅ、３０９ｅの電極幅は、いずれも０．５ｍｍに形成した。
【００５９】
一方、略螺旋状の放射電極３００の巻回数は、図９（ｅ）から分かるように、実施例４のチップ型アンテナと同様に４回であり、放射電極３００の電極長も、実施例４のチップ型アンテナと同様に、実施例１〜３のチップ型アンテナよりは長いものとした。従って、この実施例５のチップ型アンテナでは、「第１の層」としての第１１基体層（層Ｎｏ．１１）２１１に配設される帯状の内部電極と「第２の層」としての第２基体層（層Ｎｏ．２）２０２に配設される帯状の内部電極の形状は実施例４のチップ型アンテナと略同様であるが、各電極幅が実施例４の５／３倍に広くなっている。そのため、図９（ｄ）及び（ｅ）から明らかなように、「第１の層」としての第１１基体層（層Ｎｏ．１１）２１１に配設される帯状の内部電極と「第２の層」としての第２基体層（層Ｎｏ．２）２０２に配設される帯状の内部電極は、実施例４のチップ型アンテナと同様に、複数の基体層２０１〜２１３の積層方向Ａ（図２参照）の投影面内において交互に配置されているが、図９（ｄ）に示す実施例４のチップ型アンテナに比べて図９（ｅ）に示す実施例５のチップ型アンテナでは、該投影面内において両者の電極の間隔がより狭くなっている。
【００６０】
この実施例５のチップ型アンテナについて、周波数に対するＶＳＷＲを測定した結果を図１１に示す。図１１（ａ）は、実施例５のチップ型アンテナのＶＳＷＲと周波数の関係を表すグラフであり、図１１（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００６１】
図１１（ａ）及び（ｂ）に示すグラフの解析結果から、この実施例５のチップ型アンテナでは、ＶＳＷＲが最小となる（グラフの曲線が最も１に近くなる）周波数が、約２０４４ＭＨｚであり、ＶＳＷＲが３以下となる帯域幅が約１９１６ＭＨｚ〜約２１３６ＭＨｚまで約２１２ＭＨｚの幅だけ確保されていることが分かった。従って、対象とするＵＭＴＳ帯域に略対応する、広い周波数帯域においてＶＳＷＲが３以下となる良好な放射特性が得られることを確認することができた。
【００６２】
実施例６のチップ型アンテナは、「第１の層」としての第１１基体層（層Ｎｏ．１１）２１１に形成される帯状の内部電極と「第２の層」としての第２基体層（層Ｎｏ．２）２０２に形成される帯状の内部電極を、それぞれ図９（ｆ）に示す電極形状に形成し、同図に示すピッチで配置した。即ち、この実施例６のチップ型アンテナでは、第２基体層（層Ｎｏ．２）２０２の上面には、帯状の内部電極３０２ｆ、３０４ｆ、３０６ｆ、３０８ｆが形成されている。一方、第１１基体層（層Ｎｏ．１１）２１１の上面には、図９（ｆ）に示すように、帯状の内部電極３０１ｆ、３０３ｆ、３０５ｆ、３０７ｆ、３０９ｆが形成されている。尚、帯状の内部電極３０７ｆと３０９ｆは、第１１基体層（層Ｎｏ．１１）２１１の幅方向の中央でスルーホール電極（図示せず）と接続されており、他の帯状の内部電極３０１ｆ、３０３ｆ、３０５ｆに対して略半分の長さに形成されているのは実施例４及び５のチップ型アンテナと同様である。
【００６３】
即ち、この実施例６のチップ型アンテナは、第１１基体層（層Ｎｏ．１１）２１１の上面に形成された帯状の内部電極３０７ｆ、３０９ｆが、それぞれスルーホール電極６１１、６１２（図２参照）を介して図２及び図３に示した給電端側端子４００、開放端側端子５００と接続されている。従って、第１１基体層（層Ｎｏ．１１）２１１の上面に形成された帯状の内部電極３０７ｆ、３０９ｆが、スルーホール電極接続部を有する給電端側電極、開放端側電極を構成する。そして、第２基体層（層Ｎｏ．２）２０２の上面に形成された帯状の内部電極３０２ｆ、３０４ｆ、３０６ｆ、３０８ｆと第１１基体層（層Ｎｏ．１１）２１１の上面に形成された帯状の内部電極３０１ｆ、３０３ｆ、３０５ｆが、スルーホール電極６０１〜６０８（図示せず）を介して接続されることにより、略螺旋状の放射電極３００を構成している。この実施例６のチップ型アンテナでは、各帯状の内部電極３０２ｆ、３０４ｆ、３０６ｆ、３０８ｆの電極幅と各帯状の内部電極３０１ｆ、３０３ｆ、３０５ｆ、３０７ｆ、３０９ｆの電極幅は、いずれも０．７ｍｍに形成した。
【００６４】
一方、略螺旋状の放射電極３００の巻回数は、図９（ｆ）から分かるように、実施例４及び５のチップ型アンテナと同様に４回であり、放射電極３００の電極長も、実施例４及び５のチップ型アンテナと同様に、実施例１〜３のチップ型アンテナよりは長いものとした。従って、この実施例６のチップ型アンテナでは、「第１の層」としての第１１基体層（層Ｎｏ．１１）２１１に配設される帯状の内部電極と「第２の層」としての第２基体層（層Ｎｏ．２）２０２に配設される帯状の内部電極の形状は実施例４及び５のチップ型アンテナと略同様であるが、各電極幅が実施例４の７／３倍、実施例５の７／５倍に広くなっている。そのため、図９（ｄ）、（ｅ）及び（ｆ）から明らかなように、「第１の層」としての第１１基体層（層Ｎｏ．１１）２１１に配設される帯状の内部電極と「第２の層」としての第２基体層（層Ｎｏ．２）２０２に配設される帯状の内部電極は、実施例４及び５のチップ型アンテナと同様に、複数の基体層２０１〜２１３の積層方向Ａ（図２参照）の投影面内において交互に配置されているが、図９（ｆ）に示す実施例６のチップ型アンテナでは、該投影面内において両者の電極の間隔は無くなり、一部重なり合っている。
【００６５】
この実施例６のチップ型アンテナについて、周波数に対するＶＳＷＲを測定した結果を図１２に示す。図１２（ａ）は、実施例６のチップ型アンテナのＶＳＷＲと周波数の関係を表すグラフであり、図１２（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００６６】
図１２（ａ）及び（ｂ）に示すグラフの解析結果から、この実施例６のチップ型アンテナでは、ＶＳＷＲが最小となる（グラフの曲線が最も１に近くなる）周波数が、約２１０３ＭＨｚであり、ＶＳＷＲが３以下となる帯域幅が約１９７６ＭＨｚ〜約２２０７ＭＨｚまで約２２３ＭＨｚの幅だけ確保されていることが分かった。従って、対象とするＵＭＴＳ帯域に略対応する、広い周波数帯域においてＶＳＷＲが３以下となる良好な放射特性が得られることを確認することができた。
【００６７】
図１３は、本発明の実施形態に係るチップ型アンテナの実施例の電極構成を示す図であり、（ｇ）は実施例７、（ｈ）は実施例８、（ｉ）は実施例９、の電極構成をそれぞれ示す。
【００６８】
実施例７のチップ型アンテナは、「第１の層」としての第１１基体層（層Ｎｏ．１１）２１１に形成される帯状の内部電極と「第２の層」としての第２基体層（層Ｎｏ．２）２０２に形成される帯状の内部電極を、それぞれ図１３（ｇ）に示すように形成した。即ち、この実施例７のチップ型アンテナでは、第２基体層（層Ｎｏ．２）２０２の上面には、帯状の内部電極３０２ｇ、３０４ｇ、３０６ｇ、３０８ｇが形成されている。一方、第１１基体層（層Ｎｏ．１１）２１１の上面には、図１３（ｇ）に示すように、帯状の内部電極３０１ｇ、３０３ｇ、３０５ｇ、３０７ｇ、３０９ｇが形成されている。尚、帯状の内部電極３０７ｇと３０９ｇは、第１１基体層（層Ｎｏ．１１）２１１の幅方向のそれぞれ略２／３まで伸長した箇所でスルーホール電極と接続されており、他の帯状の内部電極３０１ｇ、３０３ｇ、３０５ｇに対して略２／３の長さに形成されている。
【００６９】
即ち、この実施例７のチップ型アンテナは、第１１基体層（層Ｎｏ．１１）２１１の上面に形成された帯状の内部電極３０７ｇ、３０９ｇが、それぞれスルーホール電極６１１、６１２（図２参照）を介して図２及び図３に示した給電端側端子４００、開放端側端子５００と接続されている。従って、第１１基体層（層Ｎｏ．１１）２１１の上面に形成された帯状の内部電極３０７ｇ、３０９ｇが、スルーホール電極接続部を有する給電端側電極、開放端側電極を構成する。そして、第２基体層（層Ｎｏ．２）２０２の上面に形成された帯状の内部電極３０２ｇ、３０４ｇ、３０６ｇ、３０８ｇと第１１基体層（層Ｎｏ．１１）２１１の上面に形成された帯状の内部電極３０１ｇ、３０３ｇ、３０５ｇが、スルーホール電極６０１〜６０８（図示せず）を介して接続されることにより、略螺旋状の放射電極３００を構成している。この実施例７のチップ型アンテナでは、各帯状の内部電極３０２ｇ、３０４ｇ、３０６ｇ、３０８ｇの電極幅と各帯状の内部電極３０１ｇ、３０３ｇ、３０５ｇ、３０７ｇ、３０９ｇの電極幅は、いずれも０．３ｍｍに形成した。また、略螺旋状の放射電極３００の巻回数は、図１３（ｇ）から分かるように、４．５回であり、放射電極３００の電極長は実施例４〜６のチップ型アンテナよりも更に長いものとした。
【００７０】
この実施例７のチップ型アンテナについて、周波数に対するＶＳＷＲを測定した結果を図１４に示す。図１４（ａ）は、実施例７のチップ型アンテナのＶＳＷＲと周波数の関係を表すグラフであり、図１４（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００７１】
図１４（ａ）及び（ｂ）に示すグラフの解析結果から、この実施例７のチップ型アンテナでは、ＶＳＷＲが最小となる（グラフの曲線が最も１に近くなる）周波数が、約１９１０ＭＨｚであり、ＶＳＷＲが３以下となる帯域幅が約１８０８ＭＨｚ〜約１９９１ＭＨｚまで約１８３ＭＨｚの幅だけ確保されていることが分かった。従って、広い周波数帯域においてＶＳＷＲが３以下となる良好な放射特性が得られることを確認することができた。但し、ＶＳＷＲが３以下となる帯域幅は対象とするＵＭＴＳ帯域に略対応する周波数帯域よりも低周波側にシフトしており、また、ＶＳＷＲが３以下となる帯域幅が約１８３ＭＨｚというように約２００ＭＨｚ以上の幅は確保できなかった。
【００７２】
実施例８のチップ型アンテナは、「第１の層」としての第１１基体層（層Ｎｏ．１１）２１１に形成される帯状の内部電極と「第２の層」としての第２基体層（層Ｎｏ．２）２０２に形成される帯状の内部電極を、それぞれ図１３（ｈ）に示すように形成した。即ち、この実施例８のチップ型アンテナでは、第２基体層（層Ｎｏ．２）２０２の上面には、帯状の内部電極３０２ｈ、３０４ｈ、３０６ｈ、３０８ｈが形成されている。一方、第１１基体層（層Ｎｏ．１１）２１１の上面には、図１３（ｈ）に示すように、帯状の内部電極３０１ｈ、３０３ｈ、３０５ｈ、３０７ｈ、３０９ｈが形成されている。尚、帯状の内部電極３０７ｈと３０９ｈは、第１１基体層（層Ｎｏ．１１）２１１の幅方向のそれぞれ略２／３まで伸長した箇所でスルーホール電極と接続されており、他の帯状の内部電極３０１ｈ、３０３ｈ、３０５ｈに対して略２／３の長さに形成されているのは実施例７のチップ型アンテナと同様である。
【００７３】
即ち、この実施例８のチップ型アンテナも、第１１基体層（層Ｎｏ．１１）２１１の上面に形成された帯状の内部電極３０７ｈ、３０９ｈが、それぞれスルーホール電極６１１、６１２（図２参照）を介して図２及び図３に示した給電端側端子４００、開放端側端子５００と接続されている。従って、第１１基体層（層Ｎｏ．１１）２１１の上面に形成された帯状の内部電極３０７ｈ、３０９ｈが、スルーホール電極接続部を有する給電端側電極、開放端側電極を構成する。そして、第２基体層（層Ｎｏ．２）２０２の上面に形成された帯状の内部電極３０２ｈ、３０４ｈ、３０６ｈ、３０８ｈと第１１基体層（層Ｎｏ．１１）２１１の上面に形成された帯状の内部電極３０１ｈ、３０３ｈ、３０５ｈが、スルーホール電極６０１〜６０８（図示せず）を介して接続されることにより、略螺旋状の放射電極３００を構成している。この実施例８のチップ型アンテナでは、各帯状の内部電極３０２ｈ、３０４ｈ、３０６ｈ、３０８ｈの電極幅と各帯状の内部電極３０１ｈ、３０３ｈ、３０５ｈ、３０７ｈ、３０９ｈの電極幅は、いずれも０．５ｍｍに形成した。一方、略螺旋状の放射電極３００の巻回数は、図１３（ｈ）から分かるように、実施例７のチップ型アンテナと同様に４．５回であり、放射電極３００の電極長も、実施例７のチップ型アンテナと同様に、実施例４〜６のチップ型アンテナよりも更に長いものとした。従って、この実施例８のチップ型アンテナでは、「第１の層」としての第１１基体層（層Ｎｏ．１１）２１１に配設される帯状の内部電極と「第２の層」としての第２基体層（層Ｎｏ．２）２０２に配設される帯状の内部電極の形状は実施例７のチップ型アンテナと略同様であるが、各電極幅が実施例７の５／３倍に広くなっている。そのため、図１３（ｇ）及び（ｈ）から明らかなように、「第１の層」としての第１１基体層（層Ｎｏ．１１）２１１に配設される帯状の内部電極と「第２の層」としての第２基体層（層Ｎｏ．２）２０２に配設される帯状の内部電極は、実施例７のチップ型アンテナと同様に、複数の基体層２０１〜２１３の積層方向Ａ（図２参照）の投影面内において交互に配置されているが、図１３（ｇ）に示す実施例７のチップ型アンテナに比べて図１３（ｈ）に示す実施例８のチップ型アンテナでは、該投影面内において両者の電極の間隔がより狭くなっている。
【００７４】
この実施例８のチップ型アンテナについて、周波数に対するＶＳＷＲを測定した結果を図１５に示す。図１５（ａ）は、実施例８のチップ型アンテナのＶＳＷＲと周波数の関係を表すグラフであり、図１５（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００７５】
図１５（ａ）及び（ｂ）に示すグラフの解析結果から、この実施例８のチップ型アンテナでは、ＶＳＷＲが最小となる（グラフの曲線が最も１に近くなる）周波数が、約２０２２ＭＨｚであり、ＶＳＷＲが３以下となる帯域幅が約１８９８ＭＨｚ〜約２１１１ＭＨｚまで約２１３ＭＨｚの幅だけ確保されていることが分かった。従って、広い周波数帯域においてＶＳＷＲが３以下となる良好な放射特性が得られることを確認することができた。また、ＶＳＷＲが３以下となる帯域幅は対象とするＵＭＴＳ帯域に略対応する周波数帯域であることが分かった。
【００７６】
実施例９のチップ型アンテナは、「第１の層」としての第１１基体層（層Ｎｏ．１１）２１１に形成される帯状の内部電極と「第２の層」としての第２基体層（層Ｎｏ．２）２０２に形成される帯状の内部電極を、それぞれ図１３（ｉ）に示すように形成した。即ち、この実施例９のチップ型アンテナでは、第２基体層（層Ｎｏ．２）２０２の上面には、帯状の内部電極３０２ｉ、３０４ｉ、３０６ｉ、３０８ｉが形成されている。一方、第１１基体層（層Ｎｏ．１１）２１１の上面には、図１３（ｉ）に示すように、帯状の内部電極３０１ｉ、３０３ｉ、３０５ｉ、３０７ｉ、３０９ｉが形成されている。尚、帯状の内部電極３０７ｉと３０９ｉは、第１１基体層（層Ｎｏ．１１）２１１の幅方向のそれぞれ略２／３まで伸長した箇所でスルーホール電極と接続されており、他の帯状の内部電極３０１ｉ、３０３ｉ、３０５ｉに対して略２／３の長さに形成されているのは実施例７及び８のチップ型アンテナと同様である。
【００７７】
即ち、この実施例９のチップ型アンテナも、第１１基体層（層Ｎｏ．１１）２１１の上面に形成された帯状の内部電極３０７ｉ、３０９ｉが、それぞれスルーホール電極６１１、６１２（図２参照）を介して図２及び図３に示した給電端側端子４００、開放端側端子５００と接続されている。従って、第１１基体層（層Ｎｏ．１１）２１１の上面に形成された帯状の内部電極３０７ｉ、３０９ｉが、スルーホール電極接続部を有する給電端側電極、開放端側電極を構成する。そして、第２基体層（層Ｎｏ．２）２０２の上面に形成された帯状の内部電極３０２ｉ、３０４ｉ、３０６ｉ、３０８ｉと第１１基体層（層Ｎｏ．１１）２１１の上面に形成された帯状の内部電極３０１ｉ、３０３ｉ、３０５ｉが、スルーホール電極６０１〜６０８（図示せず）を介して接続されることにより、略螺旋状の放射電極３００を構成している。この実施例９のチップ型アンテナでは、各帯状の内部電極３０２ｉ、３０４ｉ、３０６ｉ、３０８ｉの電極幅と各帯状の内部電極３０１ｉ、３０３ｉ、３０５ｉ、３０７ｉ、３０９ｉの電極幅は、いずれも０．７ｍｍに形成した。一方、略螺旋状の放射電極３００の巻回数は、図１３（ｉ）から分かるように、実施例７及び８のチップ型アンテナと同様に４．５回であり、放射電極３００の電極長も、実施例７及び８のチップ型アンテナと同様に、実施例４〜６のチップ型アンテナよりも更に長いものとした。従って、この実施例９のチップ型アンテナでは、「第１の層」としての第１１基体層（層Ｎｏ．１１）２１１に配設される帯状の内部電極と「第２の層」としての第２基体層（層Ｎｏ．２）２０２に配設される帯状の内部電極の形状は実施例７及び８のチップ型アンテナと略同様であるが、各電極幅が実施例７の７／３倍、実施例８の７／５倍に広くなっている。そのため、図１３（ｇ）、（ｈ）及び（ｉ）から明らかなように、「第１の層」としての第１１基体層（層Ｎｏ．１１）２１１に配設される帯状の内部電極と「第２の層」としての第２基体層（層Ｎｏ．２）２０２に配設される帯状の内部電極は、実施例７及び８のチップ型アンテナと同様に、複数の基体層２０１〜２１３の積層方向Ａ（図２参照）の投影面内において交互に配置されているが、図１３（ｉ）に示す実施例９のチップ型アンテナでは、該投影面内において両者の電極の間隔は無くなり、一部重なり合っている。
【００７８】
この実施例９のチップ型アンテナについて、周波数に対するＶＳＷＲを測定した結果を図１６に示す。図１６（ａ）は、実施例９のチップ型アンテナのＶＳＷＲと周波数の関係を表すグラフであり、図１６（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００７９】
図１６（ａ）及び（ｂ）に示すグラフの解析結果から、この実施例９のチップ型アンテナでは、ＶＳＷＲが最小となる（グラフの曲線が最も１に近くなる）周波数が、約２０７４ＭＨｚであり、ＶＳＷＲが３以下となる帯域幅が約１９４７ＭＨｚ〜約２１７８ＭＨｚまで約２２５ＭＨｚの幅だけ確保されていることが分かった。従って、広い周波数帯域においてＶＳＷＲが３以下となる良好な放射特性が得られることを確認することができた。また、ＶＳＷＲが３以下となる帯域幅は対象とするＵＭＴＳ帯域に略対応する周波数帯域であることが分かった。
【００８０】
図１７は、本発明の実施形態に係るチップ型アンテナの実施例の電極構成を示す図であり、（ｊ）は実施例１０、（ｋ）は実施例１１、（ｌ）は実施例１２、の電極構成をそれぞれ示す。
【００８１】
実施例１０のチップ型アンテナは、「第１の層」としての第１１基体層（層Ｎｏ．１１）２１１に形成される帯状の内部電極と「第２の層」としての第２基体層（層Ｎｏ．２）２０２に形成される帯状の内部電極を、それぞれ図１７（ｊ）に示すように形成した。即ち、この実施例１０のチップ型アンテナでは、第２基体層（層Ｎｏ．２）２０２の上面には、帯状の内部電極３０２ｊ、３０４ｊ、３０６ｊ、３０８ｊ、３１０ｊ、３１２ｊが形成されている。一方、第１１基体層（層Ｎｏ．１１）２１１の上面には、図１７（ｊ）に示すように、帯状の内部電極３０１ｊ、３０３ｊ、３０５ｊ、３０７ｊ、３０９ｊ、３１１ｊ、３１３ｊが形成されている。尚、帯状の内部電極３１１ｊと３１３ｊは、第１１基体層（層Ｎｏ．１１）２１１の幅方向のそれぞれ略２／３まで伸長した箇所でスルーホール電極と接続されており、他の帯状の内部電極３０１ｊ、３０３ｊ、３０５ｊ、３０７ｊ、３０９ｊに対して略２／３の長さに形成されている。
【００８２】
即ち、この実施例１０のチップ型アンテナは、第１１基体層（層Ｎｏ．１１）２１１の上面に形成された帯状の内部電極３１１ｊ、３１３ｊが、それぞれスルーホール電極６１１、６１２（図２参照）を介して図２及び図３に示した給電端側端子４００、開放端側端子５００と接続されている。従って、第１１基体層（層Ｎｏ．１１）２１１の上面に形成された帯状の内部電極３１１ｊ、３１３ｊが、スルーホール電極接続部を有する給電端側電極、開放端側電極を構成する。そして、第２基体層（層Ｎｏ．２）２０２の上面に形成された帯状の内部電極３０２ｊ、３０４ｊ、３０６ｊ、３０８ｊ、３１０ｊ、３１２ｊと第１１基体層（層Ｎｏ．１１）２１１の上面に形成された帯状の内部電極３０１ｊ、３０３ｊ、３０５ｊ、３０７ｊ、３０９ｊ、３１１ｊ、３１３ｊが、スルーホール電極６０１〜６１２（図示せず）を介して接続されることにより、略螺旋状の放射電極３００を構成している。この実施例１０のチップ型アンテナでは、各帯状の内部電極３０２ｊ、３０４ｊ、３０６ｊ、３０８ｊ、３１０ｊ、３１２ｊの電極幅と各帯状の内部電極３０１ｊ、３０３ｊ、３０５ｊ、３０７ｊ、３０９ｊ、３１１ｊ、３１３ｊの電極幅は、いずれも０．３ｍｍに形成した。また、略螺旋状の放射電極３００の巻回数は、図１７（ｊ）から分かるように、６．５回であり、放射電極３００の電極長は実施例７〜９のチップ型アンテナよりも更に長いものとした。
【００８３】
この実施例１０のチップ型アンテナについて、周波数に対するＶＳＷＲを測定した結果を図１８に示す。図１８（ａ）は、実施例１０のチップ型アンテナのＶＳＷＲと周波数の関係を表すグラフであり、図１８（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００８４】
図１８（ａ）及び（ｂ）に示すグラフの解析結果から、この実施例１０のチップ型アンテナでは、ＶＳＷＲが最小となる（グラフの曲線が最も１に近くなる）周波数が、約１５９０ＭＨｚであり、ＶＳＷＲが３以下となる帯域幅が約１５００ＭＨｚ〜約１６１０ＭＨｚまで約１５０ＭＨｚの幅だけ確保されていることが分かった。従って、ＶＳＷＲが３以下となる帯域幅は対象とするＵＭＴＳ帯域に略対応する周波数帯域よりも大きく低周波側にシフトしていることが分かった。また、ＶＳＷＲが３以下となる良好な放射特性が得られる帯域幅は、上述した実施例１〜９のチップ型アンテナに比べて狭いものになり、約１５０ＭＨｚというように約２００ＭＨｚ以上の幅は到底確保できなかった。
【００８５】
実施例１１のチップ型アンテナは、「第１の層」としての第１１基体層（層Ｎｏ．１１）２１１に形成される帯状の内部電極と「第２の層」としての第２基体層（層Ｎｏ．２）２０２に形成される帯状の内部電極を、それぞれ図１７（ｋ）に示すように形成した。即ち、この実施例１１のチップ型アンテナでは、第２基体層（層Ｎｏ．２）２０２の上面には、帯状の内部電極３０２ｋ、３０４ｋ、３０６ｋ、３０８ｋ、３１０ｋが形成されている。一方、第１１基体層（層Ｎｏ．１１）２１１の上面には、図１７（ｋ）に示すように、帯状の内部電極３０１ｋ、３０３ｋ、３０５ｋ、３０７ｋ、３０９ｋ、３１１ｋが形成されている。尚、帯状の内部電極３０９ｋと３１１ｋは、第１１基体層（層Ｎｏ．１１）２１１の幅方向のそれぞれ略２／３まで伸長した箇所でスルーホール電極と接続されており、他の帯状の内部電極３０１ｋ、３０３ｋ、３０５ｋ、３０７ｋに対して略２／３の長さに形成されているのは実施例１０のチップ型アンテナと同様である。
【００８６】
即ち、この実施例１１のチップ型アンテナも、第１１基体層（層Ｎｏ．１１）２１１の上面に形成された帯状の内部電極３０９ｋ、３１１ｋが、それぞれスルーホール電極６１１、６１２（図２参照）を介して図２及び図３に示した給電端側端子４００、開放端側端子５００と接続されている。従って、第１１基体層（層Ｎｏ．１１）２１１の上面に形成された帯状の内部電極３０９ｋ、３１１ｋが、スルーホール電極接続部を有する給電端側電極、開放端側電極を構成する。そして、第２基体層（層Ｎｏ．２）２０２の上面に形成された帯状の内部電極３０２ｋ、３０４ｋ、３０６ｋ、３０８ｋ、３１０ｋと第１１基体層（層Ｎｏ．１１）２１１の上面に形成された帯状の内部電極３０１ｋ、３０３ｋ、３０５ｋ、３０７ｋ、３０９ｋ、３１１ｋが、スルーホール電極６０１〜６１０（図示せず）を介して接続されることにより、略螺旋状の放射電極３００を構成している。この実施例１１のチップ型アンテナでは、各帯状の内部電極３０２ｋ、３０４ｋ、３０６ｋ、３０８ｋ、３１０ｋの電極幅と各帯状の内部電極３０１ｋ、３０３ｋ、３０５ｋ、３０７ｋ、３０９ｋ、３１１ｋの電極幅は、いずれも０．５ｍｍに形成した。一方、略螺旋状の放射電極３００の巻回数は、図１７（ｋ）から分かるように、５．５回であり、放射電極３００の電極長は、実施例１０のチップ型アンテナよりは短いが、実施例７〜９のチップ型アンテナよりは更に長いものとした。従って、この実施例１１のチップ型アンテナでは、「第１の層」としての第１１基体層（層Ｎｏ．１１）２１１に配設される帯状の内部電極と「第２の層」としての第２基体層（層Ｎｏ．２）２０２に配設される帯状の内部電極の形状は実施例１０のチップ型アンテナと略同様であるが、各電極幅が５／３倍に広くなっている。そして、上述した巻回数が５．５回と多い（帯状の内部電極の数が多い）ことから、図１７（ｋ）から明らかなように、「第１の層」としての第１１基体層（層Ｎｏ．１１）２１１に配設される帯状の内部電極と「第２の層」としての第２基体層（層Ｎｏ．２）２０２に配設される帯状の内部電極は、実施例１０のチップ型アンテナと同様に、複数の基体層２０１〜２１３の積層方向Ａ（図２参照）の投影面内において交互に配置されているが、図１７（ｋ）に示す実施例１１のチップ型アンテナでは、該投影面内において両者の電極の間隔は無くなっている。
【００８７】
この実施例１１のチップ型アンテナについて、周波数に対するＶＳＷＲを測定した結果を図１９に示す。図１９（ａ）は、実施例１１のチップ型アンテナのＶＳＷＲと周波数の関係を表すグラフであり、図１９（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００８８】
図１９（ａ）及び（ｂ）に示すグラフの解析結果から、この実施例１１のチップ型アンテナでは、ＶＳＷＲが最小となる（グラフの曲線が最も１に近くなる）周波数が、約１７９９ＭＨｚであり、ＶＳＷＲが３以下となる帯域幅が約１７０８ＭＨｚ〜約１８５７ＭＨｚまで約１４５ＭＨｚの幅だけ確保されていることが分かった。従って、ＶＳＷＲが３以下となる帯域幅は対象とするＵＭＴＳ帯域に略対応する周波数帯域よりも大きく低周波側にシフトしていることが分かった。また、ＶＳＷＲが３以下となる良好な放射特性が得られる帯域幅は、上述した実施例１〜９のチップ型アンテナに比べて狭いものになり、約１４５ＭＨｚというように約２００ＭＨｚ以上の幅は到底確保できなかった。
【００８９】
実施例１２のチップ型アンテナは、「第１の層」としての第１１基体層（層Ｎｏ．１１）２１１に形成される帯状の内部電極と「第２の層」としての第２基体層（層Ｎｏ．２）２０２に形成される帯状の内部電極を、それぞれ図１７（ｌ）に示すように形成した。即ち、この実施例１２のチップ型アンテナでは、第２基体層（層Ｎｏ．２）２０２の上面には、帯状の内部電極３０２ｌ、３０４ｌ、３０６ｌ、３０８ｌ、３１０ｌ、３１２ｌが形成されている。一方、第１１基体層（層Ｎｏ．１１）２１１の上面には、図１７（ｌ）に示すように、帯状の内部電極３０１ｌ、３０３ｌ、３０５ｌ、３０７ｌ、３０９ｌ、３１１ｌが形成されている。尚、帯状の内部電極３１２ｌは、第２基体層（層Ｎｏ．２）２０２の幅方向の略１／３まで伸長した箇所でスルーホール電極と接続されており、他の帯状の内部電極３０２ｌ、３０４ｌ、３０６ｌ、３０８ｌ、３１０ｌに対して略１／３の長さに形成されている。一方、帯状の内部電極３１１ｌは、第１１基体層（層Ｎｏ．１１）２１１の幅方向の略２／３まで伸長した箇所でスルーホール電極と接続されており、他の帯状の内部電極３０１ｌ、３０３ｌ、３０５ｌ、３０７ｌ、３０９ｌに対して略２／３の長さに形成されている。
【００９０】
即ち、この実施例１２のチップ型アンテナは、第１１基体層（層Ｎｏ．１１）２１１の上面に形成された帯状の内部電極３１１ｌが、スルーホール電極６１１（図２参照）を介して図２及び図３に示した給電端側端子４００と接続されており、第２基体層（層Ｎｏ．２）２０２の上面に配設された帯状の内部電極３１２ｌが、スルーホール電極６１２（図２参照）を介して図２及び図３に示した開放端側端子５００と接続されている。従って、第１１基体層（層Ｎｏ．１１）２１１の上面に形成された帯状の内部電極３１１ｌがスルーホール電極接続部を有する給電端側電極を構成する一方、第２基体層（層Ｎｏ．２）２０２の上面に配設された帯状の内部電極３１２ｌがスルーホール電極接続部を有する開放端側電極を構成する。尚、図２では給電端側電極と開放端側電極は、いずれも第１１基体層（層Ｎｏ．１１）２１１の上面に形成されているが、実施例１２のチップ型アンテナでは、開放端側電極の方は第２基体層（層Ｎｏ．２）２０２の上面に形成されている。そして、第２基体層（層Ｎｏ．２）２０２の上面に形成された帯状の内部電極３０２ｌ、３０４ｌ、３０６ｌ、３０８ｌ、３１０ｌ、３１２ｌと第１１基体層（層Ｎｏ．１１）２１１の上面に形成された帯状の内部電極３０１ｌ、３０３ｌ、３０５ｌ、３０７ｌ、３０９ｌ、３１１ｌが、スルーホール電極６０１〜６１０（図示せず）を介して接続されることにより、略螺旋状の放射電極３００を構成している。この実施例１２のチップ型アンテナでは、各帯状の内部電極３０２ｌ、３０４ｌ、３０６ｌ、３０８ｌ、３１０ｌ、３１２ｌの電極幅と各帯状の内部電極３０１ｌ、３０３ｌ、３０５ｌ、３０７ｌ、３０９ｌ、３１１ｌの電極幅は、いずれも０．７ｍｍに形成した。一方、略螺旋状の放射電極３００の巻回数は、図１７（ｌ）から分かるように、５．５回であり、放射電極３００の電極長も、実施例７〜９のチップ型アンテナよりも更に長いものとした。従って、この実施例１２のチップ型アンテナでは、「第１の層」としての第１１基体層（層Ｎｏ．１１）２１１に配設される帯状の内部電極と「第２の層」としての第２基体層（層Ｎｏ．２）２０２に配設される帯状の内部電極の形状は実施例１０及び１１のチップ型アンテナと略同様であるが、各電極幅が実施例１０の７／３倍、実施例１１の７／５倍に広くなっている。そのため、図１７（ｊ）、（ｋ）及び（ｌ）から明らかなように、「第１の層」としての第１１基体層（層Ｎｏ．１１）２１１に配設される帯状の内部電極と「第２の層」としての第２基体層（層Ｎｏ．２）２０２に配設される帯状の内部電極は、実施例１０及び１１のチップ型アンテナと同様に、複数の基体層２０１〜２１３の積層方向Ａ（図２参照）の投影面内において交互に配置されているが、図１７（ｌ）に示す実施例１２のチップ型アンテナでは、該投影面内において両者の電極の間隔は無くなり、一部重なり合っている。
【００９１】
この実施例１２のチップ型アンテナについて、周波数に対するＶＳＷＲを測定した結果を図２０に示す。図２０（ａ）は、実施例１２のチップ型アンテナのＶＳＷＲと周波数の関係を表すグラフであり、図２０（ｂ）は、その横軸の周波数の目盛りを拡大して示したものである。ＶＳＷＲは、アンテナに送られる送信電力の反射の程度を表す値であり、この縦軸のＶＳＷＲの値が小さい（１に近い）程、反射が少なく投入した電力が効率よくアンテナに伝わるためアンテナ特性が優れていることを表しており、同図に示すように、ある周波数帯域でＶＳＷＲの値が示される。
【００９２】
図２０（ａ）及び（ｂ）に示すグラフの解析結果から、この実施例１２のチップ型アンテナでは、ＶＳＷＲが最小となる（グラフの曲線が最も１に近くなる）周波数が、約１７６２ＭＨｚであり、ＶＳＷＲが３以下となる帯域幅が約１６７４ＭＨｚ〜約１８２１ＭＨｚまで約１４７ＭＨｚの幅だけ確保されていることが分かった。従って、ＶＳＷＲが３以下となる帯域幅は対象とするＵＭＴＳ帯域に略対応する周波数帯域よりも大きく低周波側にシフトしていることが分かった。また、ＶＳＷＲが３以下となる良好な放射特性が得られる帯域幅は、上述した実施例１〜９のチップ型アンテナに比べて狭いものになり、約１４７ＭＨｚというように約２００ＭＨｚ以上の幅は到底確保できなかった。
【００９３】
図２１は、本発明の実施形態に係るチップ型アンテナの以上に述べた実施例１〜１２の測定結果を示す表である。図２１において、ｆｏはＶＳＷＲが最小値となる周波数を示す。また、帯域幅はＶＳＷＲ＜３となる周波数範囲を示す。尚、図２１の表中において、斜線で示す範囲は、ほぼ特性を満足している結果を示したものである。
【００９４】
図２１から明らかなように、どの電極幅でも巻き数の増加によりｆｏは低くなり、帯域幅は略減少する傾向を示した。これは、巻き数の増加で隣接電極間隔が狭まり、結合容量が増加するので帯域幅が狭くなるためであると解される。また、同じ巻数で比較した場合、電極幅が大きいほど略ｆｏは高く、帯域幅は広がる傾向を示した。これは、電極幅の大きい方が、電極長が短くなるためであると解される。また、特にｆｏ、帯域幅ともに満足する構造は、電極幅が０．５ｍｍ、巻き数が４．０回或いは４．５回であった。一方、電極幅が０．３ｍｍならば巻数３回で良好な特性が得られ、電極幅が０．７ｍｍならば巻数４．５回で良好な特性が得られた。
【００９５】
図２２は、本発明の実施形態のチップ型アンテナを実装基板に搭載した後の検査・調整方法を説明するための図であり、（ａ）はその導通検査方法、（ｂ）はその中心周波数の調整方法を示す。上述したように、給電端側端子４００及び開放端側端子５００は、チップ型アンテナの実装面に形成されている。そこで、給電端側端子４００及び開放端側端子５００には、基体２００内に形成された放射電極３００の導通検査を行うための導通検査装置８００が接続される。また、開放端側端子５００には、周波数調整用の延長電極が接続される。
【００９６】
即ち、本発明の実施形態のチップ型アンテナでは、給電端側端子４００及び開放端側端子５００がチップ型アンテナの実装面に形成されているので、基板８１０に給電端側端子４００と接続される給電線路８１２、開放端側端子５００と接続される導電パッド８１４を形成し、チップ型アンテナを給電端側端子４００、開放端側端子５００がそれぞれ上記給電線路８１２、導電パッド８１４に接続されるように配置して、図２２（ａ）に示すように、それぞれ給電線路８１２、導電パッド８１４に、例えば、テスタのプローブ８１６、８１８を接続することにより、チップ型アンテナの導通検査を簡単に行うことができる。
【００９７】
また、本発明の実施形態のチップ型アンテナでは、開放端側端子５００がチップ型アンテナの実装面に形成されているので、図２２（ｂ）に示すように、基板８１０に開放端側端子５００と接続される延長電極（周波数調整用の導体パターン）８２０を形成することにより、チップ型アンテナの中心周波数の調整を簡単に行うことができる。
【００９８】
以上に述べたように、本発明のチップ型アンテナは、誘電材料及び磁性材料の少なくとも一方から成る基体を構成する複数の層のうち第1の層と第２の層に複数の帯状の内部電極が所定のピッチで、積層方向の投影面内において交互に配置されるとともに、スルーホール電極により直列に接続されて略螺旋状の放射電極を構成しており、それら帯状の内部電極の幅が０．３ｍｍ〜０．７ｍｍである。
【００９９】
かかる構成により、チップ型アンテナを従来よりも更に小型化することができる上に、広い送受信周波数帯域内において優れた放射特性が得られる。また。略螺旋状の放射電極の巻回数が３回以上４．５回以下であるので、放射電極が比較的少ない巻回数で形成されることからチップ型アンテナの更なる小型化が容易になる。更に、第１の層の内部電極と第２の層の内部電極との間隔が４５０μｍ〜１０００μｍであるので、基体内で第１の層の内部電極と第２の層の内部電極とが上記の４５０μｍ〜１０００μｍの間隔内に収まることから、十分にチップ型アンテナの小型化が図れる。
【０１００】
更にまた、ＶＳＷＲが最小となる周波数が１５００ＭＨｚ〜２５００ＭＨｚの範囲であり、ＶＳＷＲが３以下となる帯域幅が２００ＭＨｚ以上であるので、特に、ＷＣＤＭＡ通信方式に実用上有効な広い送受信周波数帯域内において放射特性の優れたチップ型アンテナを実現することができる。
【０１０１】
また、本発明のチップ型アンテナは、基体内の放射電極を構成する第１の層の帯状の内部電極と第２の層の帯状の内部電極とが積層方向の投影面内において交互に配置されているので、基体内の略螺旋状の放射電極が対称性を有して形成されることから、チップ型アンテナを製作する工程で積層体の反りを発生し難くなる。その結果、チップ型アンテナを携帯電話等の内部の基板に実装するときの座りが良くなり、実装安定性が向上する。更に、チップ型アンテナの実装面を構成する第１２基体層（層Ｎｏ．１２）２１２の下面（裏面）には、図２及び図３に示すように、給電端側端子４００及び開放端側端子５００とは離間して補強用端子７０１〜７１２が形成されている。この補強用端子７０１〜７１２は、電気的な接続を取るものではなく、チップ型アンテナ１００の実装面が基板等から剥がれてしまうのを防止するために接着強度を高める端子である。従って、第１２基体層（層Ｎｏ．１２）２１２の下面（裏面）の周縁側に沿って形成されており、給電端側端子４００と開放端側端子５００が形成されている部分を除いた、幅方向の端部に等間隔に形成されている。かかる構成によっても、チップ型アンテナを携帯電話等の内部の基板に実装するときの座りが良くなり、実装安定性が向上する。
【図面の簡単な説明】
【０１０２】
【図１】本発明の実施形態に係るチップ型アンテナの透視斜視図である。
【図２】図１のチップ型アンテナの分解斜視図である。
【図３】図１のチップ型アンテナの複数の層それぞれにおける電極パターン（放射電極のパターン、スルーホール電極のパターン、裏面電極のパターン）の構成を示す図である。
【図４】図２及び図３に示す複数の層のうち、帯状の内部電極が配設された第２基体層（層Ｎｏ．２）２０２及び第１１基体層（層Ｎｏ．１１）２１１を拡大して示す図であり、（ａ）は第２基体層（層Ｎｏ．２）２０２の拡大図、（ｂ）は第１１基体層（層Ｎｏ．１１）２１１の拡大図である。
【図５】本発明の実施形態に係るチップ型アンテナの実施例の電極構成を示す図であり、（ａ）は実施例１、（ｂ）は実施例２、（ｃ）は実施例３、の電極構成をそれぞれ示す。
【図６】本発明の実施形態に係るチップ型アンテナの実施例１のＶＳＷＲと周波数の関係を表すグラフである。
【図７】本発明の実施形態に係るチップ型アンテナの実施例２のＶＳＷＲと周波数の関係を表すグラフである。
【図８】本発明の実施形態に係るチップ型アンテナの実施例３のＶＳＷＲと周波数の関係を表すグラフである。
【図９】本発明の実施形態に係るチップ型アンテナの実施例の電極構成を示す図であり、（ｄ）は実施例４、（ｅ）は実施例５、（ｆ）は実施例６、の電極構成をそれぞれ示す。
【図１０】本発明の実施形態に係るチップ型アンテナの実施例４のＶＳＷＲと周波数の関係を表すグラフである。
【図１１】本発明の実施形態に係るチップ型アンテナの実施例５のＶＳＷＲと周波数の関係を表すグラフである。
【図１２】本発明の実施形態に係るチップ型アンテナの実施例６のＶＳＷＲと周波数の関係を表すグラフである。
【図１３】本発明の実施形態に係るチップ型アンテナの実施例の電極構成を示す図であり、（ｇ）は実施例７、（ｈ）は実施例８、（ｉ）は実施例９、の電極構成をそれぞれ示す。
【図１４】本発明の実施形態に係るチップ型アンテナの実施例７のＶＳＷＲと周波数の関係を表すグラフである。
【図１５】本発明の実施形態に係るチップ型アンテナの実施例８のＶＳＷＲと周波数の関係を表すグラフである。
【図１６】本発明の実施形態に係るチップ型アンテナの実施例９のＶＳＷＲと周波数の関係を表すグラフである。
【図１７】本発明の実施形態に係るチップ型アンテナの実施例の電極構成を示す図であり、（ｊ）は実施例１０、（ｋ）は実施例１１、（ｌ）は実施例１２、の電極構成をそれぞれ示す。
【図１８】本発明の実施形態に係るチップ型アンテナの実施例１０のＶＳＷＲと周波数の関係を表すグラフである。
【図１９】本発明の実施形態に係るチップ型アンテナの実施例１１のＶＳＷＲと周波数の関係を表すグラフである。
【図２０】本発明の実施形態に係るチップ型アンテナの実施例１２のＶＳＷＲと周波数の関係を表すグラフである。
【図２１】本発明の実施形態に係るチップ型アンテナの実施例１〜１２の測定結果を示す表である。
【図２２】図１のチップ型アンテナを実装基板に搭載した後の検査・調整方法を説明するための図であり、（ａ）はその導通検査方法、（ｂ）はその中心周波数の調整方法を示す。
【符号の説明】
【０１０３】
１００  チップ型アンテナ、  ２０１〜２１２  基体層、
２００  基体、  ３０１〜３１１  帯状の内部電極、  ３００  放射電極、
４００  給電端側端子、  ５００  開放端側端子、  Ａ  積層方向、
６０１〜６１２  スルーホール電極
【図１】
2008067113.tif 000003
【図２】
2008067113.tif 000004
【図３】
2008067113.tif 000005
【図４】
2008067113.tif 000006
【図５】
2008067113.tif 000007
【図６】
2008067113.tif 000008
【図７】
2008067113.tif 000009
【図８】
2008067113.tif 000010
【図９】
2008067113.tif 000011
【図１０】
2008067113.tif 000012
【図１１】
2008067113.tif 000013
【図１２】
2008067113.tif 000014
【図１３】
2008067113.tif 000015
【図１４】
2008067113.tif 000016
【図１５】
2008067113.tif 000017
【図１６】
2008067113.tif 000018
【図１７】
2008067113.tif 000019
【図１８】
2008067113.tif 000020
【図１９】
2008067113.tif 000021
【図２０】
2008067113.tif 000022
【図２１】
2008067113.tif 000023
【図２２】
2008067113.tif 000024